【事件の表示】
　特願２０１１−１１０８０２号「遊技機のヒンジ機構」拒絶査定不服審判事件〔平成２３年９月１５日出願公開、特開２０１１−１７７５６０号〕について、次のとおり審決する。
【結　論】
　本件審判の請求は、成り立たない。
【理　由】
第１　手続の経緯の概要
　本件に係る出願（以下「本願」という。）は、平成１８年１月１２日に出願した特許２００６−４６１７号（以下「原出願」という。）の一部を平成２３年５月１７日に新たな特許出願としたものであって、平成２４年７月３０日付けで拒絶査定がなされ（発送日：同年８月３日）、これに対し、同年１０月１０日に拒絶査定不服審判の請求がなされるとともに、その審判の請求と同時に手続補正がなされたものである。
 　 
第２　平成２４年１０月１０日付け手続補正についての補正却下の決定
［補正却下の決定の結論］
　平成２４年１０月１０日付け手続補正（以下「本件補正」という。）を却下する。
　
［理由］
　１　本件補正発明
　本件補正は、特許請求の範囲の請求項１について、本件補正前に「ベース部材と、左右いずれか一方の側部に設けられた上下一対の第１ヒンジ機構により前記ベース部材に揺動開閉自在にヒンジ接続された第１開閉部材と、前記第１ヒンジ機構と同一側の側部に設けられた上下一対の第２ヒンジ機構により前記第１開閉部材の前面に位置して揺動開閉自在にヒンジ接続された第２開閉部材とを備えてなる遊技機のヒンジ機構であって、
　前記上下一対の第１ヒンジ機構のうちの上方に位置する第１ヒンジ機構は、前記第１開閉部材の側部に固定されて前後に延びる開閉側板状部に上下方向に延びて固着された軸部を有して構成される開閉側ヒンジ部材と、前記ベース部材の側部に固定されて前後に延びるベース側板状部に設けられ前記軸部と係合する軸受部を有して構成されるベース側ヒンジ部材とからなり、
　前記軸部が前記軸受部と係合して前記軸部の中心を通る上下に延びる回転中心軸を中心として前記軸部および前記軸受部が互いに回転可能に係合することにより、前記ベース部材に対して前記第１開閉部材が前記回転中心軸を中心として揺動開閉自在にヒンジ接続されるように構成されており、
　前記上下一対の第２ヒンジ機構のうちの上方に位置する第２ヒンジ機構は、前記第２開閉部材の側部における上部側に上下にスライド変位可能に軸支されたピン部材と、前記ピン部材を上方に付勢する付勢部材と、前記開閉側ヒンジ部材に前記軸部内に延びて前記回転中心軸と同軸に形成されるとともに前記ピン部材を受容して前記ピン部材を回転可能に係合可能なピン受容穴とからなり、
　前記ピン部材を前記ピン受容穴に受容して前記ピン部材と前記ピン受容穴が係合することにより、前記第１開閉部材に対して前記第２開閉部材が揺動開閉自在にヒンジ接続されるように構成されており、
　前記ピン部材の先端部もしくは前記ピン受容穴の開口縁部に円錐状の案内部を有し、
　前記ピン部材を前記ピン受容穴に受容して前記ピン部材と前記ピン受容穴が係合した状態で、前記ピン部材の上部が前記軸部材内に位置して前記軸部材の上方に突出することが無いように構成されたことを特徴とする遊技機のヒンジ機構。」とあったものを
　「ベース部材と、左右いずれか一方の側部に設けられた上下一対の第１ヒンジ機構により前記ベース部材に揺動開閉自在にヒンジ接続された第１開閉部材と、前記第１ヒンジ機構と同一側の側部に設けられた上下一対の第２ヒンジ機構により前記第１開閉部材の前面に位置して揺動開閉自在にヒンジ接続された第２開閉部材とを備えてなる遊技機のヒンジ機構であって、
　前記上下一対の第１ヒンジ機構のうちの上方に位置する第１ヒンジ機構は、前記第１開閉部材の側部に固定されて前後に延びる開閉側板状部に上下方向に延びて固着された軸部を有して構成される開閉側ヒンジ部材と、前記ベース部材の側部に固定されて前後に延びるベース側板状部に設けられ前記軸部と係合する軸受部を有して構成されるベース側ヒンジ部材とからなり、
　前記軸部が前記軸受部と係合して前記軸部の中心を通る上下に延びる回転中心軸を中心として前記軸部および前記軸受部が互いに回転可能に係合することにより、前記ベース部材に対して前記第１開閉部材が前記回転中心軸を中心として揺動開閉自在にヒンジ接続されるように構成されており、
　前記上下一対の第２ヒンジ機構のうちの上方に位置する第２ヒンジ機構は、前記第２開閉部材の側部における上部側に上下にスライド変位可能に軸支されたピン部材と、前記ピン部材を上方に付勢する付勢部材と、前記開閉側ヒンジ部材に前記軸部内に延びて前記回転中心軸と同軸に形成されるとともに
前記付勢部材により上方に付勢された
下面側から
前記ピン部材を前記ピン受容穴に下面側から受容させるために、前記ピン部材の側方から操作して前記ピン部材を前記付勢部材による付勢力に抗して下方に移動させることが可能な構成であり
　前記ピン部材を
下方に移動させる操作を用いて
を
に
させ
　前記ピン部材の先端部もしくは前記ピン受容穴の開口縁部に
前記ピン部材を下方に移動させる操作を用いて前記ピン受容穴に下面側から受容させるときの案内を行うための
　前記ピン部材を前記ピン受容穴に受容して前記ピン部材と前記ピン受容穴が係合した状態で、前記ピン部材の上部が前記軸部材内に位置して前記軸部材の上方に突出することが無いように構成されたことを特徴とする遊技機のヒンジ機構。」（下線は補正箇所を示す。）と補正するものである。
　
　上記補正について検討する。
　本件補正後の特許請求の範囲の請求項１に記載された発明は、ピン受容穴につて、「前記ピン部材を受容して前記ピン部材を回転可能に係合可能」であるとあったものを「
前記付勢部材により上方に付勢された
下面側から
前記ピン部材を前記ピン受容穴に下面側から受容させるために、前記ピン部材の側方から操作して前記ピン部材を前記付勢部材による付勢力に抗して下方に移動させることが可能な構成であ
下方に移動させる操作を用いて
下面側から
させ
を
に
させ
　そこで、本件補正後の特許請求の範囲の請求項１に記載された発明（以下「本件補正発明」という。）が特許出願の際独立して特許を受けることができるものであるか（特許法第１７条の２第６項において準用する同法第１２６条第７項の規定に適合するか）否かについて検討する。 
　
　２　先願発明
　原査定の拒絶の理由で引用された、本願の出願の日前の他の特許出願であって、その出願後に出願公開がされた特願２００５−４４３７７号（特開２００６−２２３７５２号公報参照。以下「先願」という。）の願書に最初に添付した明細書又は図面（以下「先願明細書等」という。）には、「遊技機における蝶番構造」に関して次の事項が図面とともに記載されている。
　　ア　「【請求項１】
　本体枠部の一側に上下位置の蝶番を介して扉枠部が回動自在に軸着される遊技機における蝶番構造であって、
　少なくとも前記一方の蝶番は、前記扉枠部に設けられ支持ピンを有する第一蝶番部材と、前記本体枠部に設けられ前記支持ピンが嵌入する嵌入凹部を凹設した軸受部材を有する第二蝶番部材とを備え、前記支持ピンの先端部外周にその先端に向けて漸次外径が小さくなる外テーパ面部を周設し、一方、前記嵌入凹部の奥部にその奥端に向けて漸次内径が小さくなる内テーパ面部を成形し、前記外テーパ面部と内テーパ面部とが互いに円環状に接するようにして前記扉枠部が回動動作することを特徴とする遊技機における蝶番構造。」（【特許請求の範囲】）
　　イ　「本発明は、本体枠部の一側に上下位置の蝶番を介して扉枠部が回動自在に軸着される遊技機における蝶番構造に関するものである。
【背景技術】
　従来、遊技機の一種であるパチンコ遊技機は、本体枠部としての外枠の前面一側に遊技盤を配置固定した扉部材としての遊技盤取付枠が軸着されている。更に詳しく説明すると、該パチンコ遊技機は、外枠の前面一側の上下位置にそれぞれ保持孔を開設した保持金具と支持軸を突設した支持金具が固着される。一方、遊技盤取付枠の同じ側にも上下位置にそれぞれ支持軸を突設した支持金具と保持孔を開設した保持金具が固着されている。そして、下部の保持孔に下部の支持軸を抜き差し式に挿通すると共に上部の保持孔に上部の支持軸を同じく抜き差し式に挿通することにより、外枠に遊技盤取付枠を回動自在に軸着するようにしている（例えば、特許文献１参照。）。
【特許文献１】特開２００１−３１００４７号公報（第２頁、図１、図５）
【発明の開示】
【発明が解決しようとする課題】
　しかしながら、前記特許文献１のパチンコ遊技機のように上下位置の各保持孔に同じく上下位置の各支持軸を抜き差し式に挿通して遊技盤取付枠を軸着する構成にあっては、保持孔に支持軸を挿入し易くして作業が容易に行なえるようにするべく、各支持軸の外径寸法よりも各保持孔の内径寸法が比較的大きく設定されている。このため、遊技盤取付枠を軸着した際に、上下の各支持軸と各保持孔との間に比較的大きな隙間ができ、この隙間が有るが故に遊技盤取付枠にガタツキが発生し、該遊技盤取付枠のスムーズな開閉動作が行い難くなるという課題があった。また、外枠と遊技盤取付枠との間にも無用な隙間が生ずることになるが、これは不正防止という観点から好ましいことではない。
　そこで、本発明は上記課題を解決すべくなされたもので、扉枠部の回動動作がガタツクことなくスムーズに行なえると共に、本体枠部と扉枠部との間にも前記ガタツキによる無用な隙間が生じないようにして不正防止上も優れた遊技機における蝶番構造を提供することを目的とするものである。」（段落【0001】〜【0004】）
　　ウ　「【発明を実施するための最良の形態】
　以下、本発明に係る
遊技機における蝶番構造
パチンコ遊技機
　
パチンコ遊技機Ｐ
縦長方形枠状に成形される外枠１
該外枠１の前面
一側の上下位置に設けられた
上蝶番２ａと下蝶番２ｂとによって開閉自在に取着される
遊技盤取付枠３
同じく
上・下蝶番２ａ，２ｂによって同軸上に軸着される
前面枠４
　　エ　「次に、図３、図４に基づき前記上・下蝶番２ａ，２ｂについて説明する。まず、外枠１の一側上下部に、上保持金具１８ａと下保持金具１８ｂが固着されている。これら上・下保持金具１８ａ，１８ｂはそれぞれ前方へ突出するほぼ水平な上支持片１９ａと下支持片１９ｂを有し、これら上・下支持片１９ａ，１９ｂに同一の鉛直線上に位置して所定内径の上保持孔２０ａと下保持孔２０ｂが開設されている。この内、上保持孔２０ａには、その前側に該上保持孔２０ａと連通しかつ該上保持孔２０ａの直径寸法よりも狭い溝幅の開先割溝２１が設けられている。
　
遊技盤取付枠３の同側の上
部に
上取付金具２２ａ
固着される
上取付金具２２ａの上水平板部２３ａの下面に
軸杆２４が突設される
軸杆２４の下端面に係止孔２７が開設されている
　一方、前記下取付金具２２ｂに取付孔２８が開設され、該取付孔２８に軸受部材２９が嵌入固定される。該軸受部材２９は、下水平板部２３ｂの上面に当接するフランジ部３０を有し、その下方に前記取付孔２８から下方へ突出する軸部３１が一体に設けられ、また、フランジ部３０の上方に短柱部３２が一体に設けられる。短柱部３２の上面には、後記する支持ピン４１が嵌入する嵌入凹部３３が凹設されている。そして、該嵌入凹部３３の奥部にその奥端に向けて漸次内径が小さくなる内テーパ面部３４が成形されている。この嵌入凹部３３の中心軸線Ｇと前記軸杆２４の係止孔２７の中心軸線Ｇは同一鉛直線上にある。よって、遊技盤取付枠３および前面枠４は同一軸心でもって開閉動作が可能となる。
　前面枠４の同側の上部に係止部材３５が内装される。該係止部材３５は
上下に摺動可能な可動体３６
可動体３６はその上面に係止ピン３８が突設され
圧縮スプリング３７の付勢によって
可動体３６
上方へ突出するようになっている
　　オ　「そして、外枠１の前面に遊技盤取付枠３を配置すると共に下部の軸部３１を下保持金具１８ｂの下保持孔２０ｂにその上側から嵌入する。また、遊技盤取付枠３の回動位置を調整して、上部の軸杆２４の平坦板部２６を開先割溝２１内に介入しつつ軸杆２４を上保持孔２０ａ内に嵌合させる。この際、両段差部２５，２５が開先割溝２１の両側縁に載って誘導されるので、軸杆２４が嵌合し易い。更に、遊技盤取付枠３の前面に前面枠４を配置し、下部の支持ピン４１を軸受部材２９の嵌入凹部３３に上側から嵌入する。続いて、
可動体３６を圧縮スプリング３７の付勢に抗して下げ
軸杆２４の下方に位置させる
圧縮スプリング３７の付勢によって係止ピン３８が係止孔２７に嵌入して係止する
　ここで、
前記上保持金具１８ａと上取付金具２２ａと係止部材３５とにより上蝶番２ａが構成され
下保持金具１８ｂと下取付金具２２ｂと突片４０の支持ピン４１とにより下蝶番２ｂが構成される
上下位置の上・下蝶番２ａ，２ｂを介して外枠１に遊技盤取付枠３が回動自在に軸着され、また、遊技盤取付枠３に前面枠４が同じく回動自在に軸着される
　本発明に係るパチンコ遊技機Ｐは上記構成からなり、シリンダー錠１６の鍵穴部１７に鍵を挿入して一方向へ回動させることにより前面枠４が開錠され、該
前面枠４が前記上
蝶番２ａ
を中心として自在に回動する。
同様に
遊技盤取付枠３が自在に回動する
　　カ　上記記載事項エ〜オ、【図３】、【図４】の図示内容によると、
係止ピン３８には、先端部に円錐状の傾斜面が形成されたこと
　　キ　上記記載事項エ〜オ、及び、上・下蝶番部位の組立状態の断面図を示す【図４】の図示内容によると、
係止ピン３８を係止孔２７に嵌入させて、係止させた状態で、係止ピン３８の上部は、軸杆２４内に位置して、軸杆２４の上方に突出していないこと
　　ク　上記記載事項ウ〜オ、及び、【図３】、【図４】の図示内容からみて、上蝶番２ａは、上保持金具１８ａ及び上取付金具２２ａを含む第１上蝶番２ａ’と、係止部材３５及び係止孔２７を含む第２上蝶番２ａ’’とから構成され、下蝶番２ｂは、下保持金具１８ｂ及び下取付金具２２ｂを含む第１下蝶番２ｂ’と、突片４０の支持ピン４１及び嵌入凹部３３を含む第２下蝶番２ｂ’’とから構成されているとすることができる。
　
　上記記載事項ア〜オ、上記認定事項カ〜ク、及び、図面の図示内容を総合勘案すると、先願明細書等には、次の発明（以下「先願発明」という。）が記載されているものと認める。
「縦長方形枠状に成形される外枠１と、
　前面一側の上下位置に設けられた、上保持金具１８ａ及び上取付金具２２ａを含む第１上蝶番２ａ’と、下保持金具１８ｂ及び下取付金具２２ｂを含む第１下蝶番２ｂ’とによって外枠１に回動自在に軸着された遊技盤取付枠３と、
　前面一側の上下位置に設けられた、係止部材３５及び係止孔２７を含む第２上蝶番２ａ’’と、突片４０の支持ピン４１及び嵌入凹部３３を含む第２下蝶番２ｂ’’とによって遊技盤取付枠３に回動自在に軸着された前面枠４と
　を備えているパチンコ遊技機Ｐの蝶番構造であって、
　上下位置に設けられた第１上蝶番２ａ’と第１下蝶番２ｂ’のうち、上に位置する第１上蝶番２ａ’は、遊技盤取付枠３の上部に固着され、前方へ突出する上水平板部２３ａの下面に軸杆２４が突設された上取付金具２２ａと、外枠１の前面一側の上位置に固着された、前方へ突出するほぼ水平な上支持片１９ａ内に軸杆２４が嵌合される上保持孔２０ａが開設された上保持金具１８ａとからなり、
　係止ピン３８を係止孔２７へ係止することにより、外枠１に回動自在に軸着される遊技盤取付枠３の回動中心と、遊技盤取付枠３に回動自在に軸着される前面枠４の回動中心とが同軸上に位置するように、遊技盤取付枠３が外枠１に取着され、
　上下位置に設けられた第２上蝶番２ａ’’と第２下蝶番２ｂ’’のうち、上に位置する第２上蝶番２ａ’’は、遊技盤取付枠３の前面一側の上下位置に設けられた、上下に摺動可能な可動体３６の上面に突設された係止ピン３８と、可動体３６を付勢により上方に突出させる圧縮スプリング３７とからなる係止部材３５、及び、上取付金具２２ａに突設される軸杆２４の下端面に開設され、係止ピン３８を圧縮スプリング３７の付勢によって嵌入させて係止させることにより遊技盤取付枠３に前面枠４が回動自在に同軸上に軸着させ、
　係止ピン３８の係止孔２７への係止は、係止ピン３８を係止孔２７に軸杆２４の下方の位置から嵌入させて係止させるために、可動体３６を圧縮スプリング３７の付勢に抗して下げることが可能であり、可動体３６を圧縮スプリング３７の付勢に抗して下げることにより係止孔２７に軸杆２４の下方から嵌入させて係止ピン３８を係止孔２７に係止させることにより行い、
　係止ピン３８には、先端部に円錐状の傾斜面が形成され、
　係止ピン３８を係止孔２７に嵌入させて、係止させた状態で、係止ピン３８の上部は、軸杆２４内に位置して、軸杆２４の上方に突出していない
　パチンコ遊技機Ｐの蝶番構造。」
　
　３　対比
　先願発明と本件補正発明とを比較すると、先願発明の「縦長方形枠状に成形される外枠１」は、その構成及び機能からみて、本件補正発明の「ベース部材」に相当し、以下同様に、
　先願発明の「前面一側の上下位置に設けられた、上保持金具１８ａ及び上取付金具２２ａを含む第１上蝶番２ａ’と、下保持金具１８ｂ及び下取付金具２２ｂを含む第１下蝶番２ｂ’とによって外枠１に回動自在に軸着された遊技盤取付枠３」は、本件補正発明の「左右いずれか一方の側部に設けられた上下一対の第１ヒンジ機構によりベース部材に揺動開閉自在にヒンジ接続された第１開閉部材」に相当し、
　先願発明の「前面一側の上下位置に設けられた、係止部材３５及び係止孔２７を含む第２上蝶番２ａ’’と、突片４０の支持ピン４１及び嵌入凹部３３を含む第２下蝶番２ｂ’’とによって遊技盤取付枠３に回動自在に軸着された前面枠４」は、第１上蝶番２ａ’、第２上蝶番２ａ’’、第１下蝶番２ｂ’、及び、第２下蝶番２ｂ’’とが、パチンコ遊技機Ｐにおける左右方向の同じ側（同一側）に設けられるものであることから、本件補正発明の「第１ヒンジ機構と同一側の側部に設けられた上下一対の第２ヒンジ機構により第１開閉部材の前面に位置して揺動開閉自在にヒンジ接続された第２開閉部材」に相当し、
　先願発明の「パチンコ遊技機Ｐの蝶番構造」は、本件補正発明の「遊技機のヒンジ機構」に相当し、
　先願発明の「上下位置に設けられた第１上蝶番２ａ’と第１下蝶番２ｂ’のうち、上に位置する第１上蝶番２ａ’」は、本件補正発明の「上下一対の第１ヒンジ機構のうちの上方に位置する第１ヒンジ機構」に相当し、
　先願発明の「遊技盤取付枠３の上部に固着され、前方へ突出する上水平板部２３ａの下面に軸杆２４が突設された上取付金具２２ａ」は、本件補正発明の「第１開閉部材の側部に固定されて前後に延びる開閉側板状部に上下方向に延びて固着された軸部を有して構成される開閉側ヒンジ部材」に相当し、
　先願発明の「外枠１の前面一側の上位置に固着された、前方へ突出するほぼ水平な上支持片１９ａ内に軸杆２４が嵌合される上保持孔２０ａが開設された上保持金具１８ａ」は、本件補正発明の「ベース部材の側部に固定されて前後に延びるベース側板状部に設けられ軸部と係合する軸受部を有して構成されるベース側ヒンジ部材」に相当し、
　先願発明の「係止ピン３８を係止孔２７へ係止することにより、外枠１に回動自在に軸着される遊技盤取付枠３の回動中心と、遊技盤取付枠３に回動自在に軸着される前面枠４の回動中心とが同軸上に位置するように、遊技盤取付枠３が外枠１に回動自在に取着され（ること）」は、蝶番を構成する係止ピン３８と係止孔２７とが、係止することにより接続されるものであるから、本件補正発明の「軸部が軸受部と係合して軸部の中心を通る上下に延びる回転中心軸を中心として軸部および軸受部が互いに回転可能に係合することにより、ベース部材に対して第１開閉部材が回転中心軸を中心として揺動開閉自在にヒンジ接続されるように構成されて」いることに相当し、
　先願発明の「上下位置に設けられた第２上蝶番２ａ’’と第２下蝶番２ｂ’’のうち、上に位置する第２上蝶番２ａ’’は、遊技盤取付枠３の前面一側の上下位置に設けられた、上下に摺動可能な可動体３６の上面に突設された係止ピン３８と、可動体３６を付勢により上方に突出させる圧縮スプリング３７とからなる係止部材３５、及び、上取付金具２２ａに突設される軸杆２４の下端面に開設され、係止ピン３８を圧縮スプリング３７の付勢によって嵌入させて係止させることにより遊技盤取付枠３に前面枠４が回動自在に軸着させ（た）」ことは、本件補正発明の「上下一対の第２ヒンジ機構のうちの上方に位置する第２ヒンジ機構は、第２開閉部材の側部における上部側に上下にスライド変位可能に軸支されたピン部材と、ピン部材を上方に付勢する付勢部材と、開閉側ヒンジ部材に軸部内に延びて回転中心軸と同軸に形成されるとともに付勢部材により上方に付勢されたピン部材を下面側から受容してピン部材を回転可能に係合可能なピン受容穴とからな（る）」ことに相当する。
　
　そして、先願発明の「係止ピン３８の係止孔２７への係止は、係止ピン３８を係止孔２７に軸杆２４の下方の位置から嵌入させて係止させるために、可動体３６を圧縮スプリング３７の付勢に抗して下げることが可能であり、可動体３６を圧縮スプリング３７の付勢に抗して下げることにより係止孔２７に軸杆２４の下方から嵌入させて係止ピン３８を係止孔２７に係止させることにより行（う）」ことと、本件補正発明の「ピン部材をピン受容穴に下面側から受容させるために、ピン部材の側方から操作してピン部材を付勢部材による付勢力に抗して下方に移動させることが可能な構成であり、ピン部材を下方に移動させる操作を用いてピン受容穴に下面側から受容させてピン部材をピン受容穴に係合させることにより、第１開閉部材に対して第２開閉部材が揺動開閉自在にヒンジ接続されるように構成されて（いる）」こととを対比する。
　前者において、係止ピン３８を圧縮スプリング３７の付勢に抗して下げるために、何らかの操作が行われることは、当業者にとって自明である。また、前者において、遊技盤取付枠３と前面枠４とは、係止ピン３８の係止孔２７への係止により回動自在に軸着されるものである。
　そうすると、両者は、「ピン部材をピン受容穴に下面側から受容させるために、操作によりピン部材を付勢部材による付勢力に抗して下方に移動させることが可能な構成であり、ピン部材を下方に移動させる操作を用いてピン受容穴に下面側から受容させてピン部材をピン受容穴に係合させることにより、第１開閉部材に対して第２開閉部材が揺動開閉自在にヒンジ接続されるように構成されて（いる）」ことで共通する。
　
　また、先願発明の「係止ピン３８には、先端部に円錐状の傾斜面が形成され（た）」ことは、係止ピン３８の先端部に形成された円錐状の傾斜面が、係止ピン３８を係止孔２７に下面から嵌入して係止させる際の案内面として作用することは当業者にとって明らかであるから、本件補正発明の「ピン部材の先端部」「にピン部材を下方に移動させる操作を用いてピン受容穴に下面側から受容させるときの案内を行うための円錐状の案内部を有（する）」ことに相当し、同様に、
　先願発明の「係止ピン３８を係止孔２７に嵌入させて、係止させた状態で、係止ピン３８の上部は、軸杆２４内に位置して、軸杆２４の上方に突出していない」ことは、その構成及び機能からみて、本件補正発明の「ピン部材をピン受容穴に受容してピン部材とピン受容穴が係合した状態で、ピン部材の上部が軸部材内に位置して軸部材の上方に突出することが無いように構成されたこと」に相当する。
　
　したがって、本件補正発明と先願発明の次の一致点で一致し、下記相違点で一応相違する。
　［一致点］
「ベース部材と、左右いずれか一方の側部に設けられた上下一対の第１ヒンジ機構により前記ベース部材に揺動開閉自在にヒンジ接続された第１開閉部材と、前記第１ヒンジ機構と同一側の側部に設けられた上下一対の第２ヒンジ機構により前記第１開閉部材の前面に位置して揺動開閉自在にヒンジ接続された第２開閉部材とを備えてなる遊技機のヒンジ機構であって、
　前記上下一対の第１ヒンジ機構のうちの上方に位置する第１ヒンジ機構は、前記第１開閉部材の側部に固定されて前後に延びる開閉側板状部に上下方向に延びて固着された軸部を有して構成される開閉側ヒンジ部材と、前記ベース部材の側部に固定されて前後に延びるベース側板状部に設けられ前記軸部と係合する軸受部を有して構成されるベース側ヒンジ部材とからなり、
　前記軸部が前記軸受部と係合して前記軸部の中心を通る上下に延びる回転中心軸を中心として前記軸部および前記軸受部が互いに回転可能に係合することにより、前記ベース部材に対して前記第１開閉部材が前記回転中心軸を中心として揺動開閉自在にヒンジ接続されるように構成されており、
　前記上下一対の第２ヒンジ機構のうちの上方に位置する第２ヒンジ機構は、前記第２開閉部材の側部における上部側に上下にスライド変位可能に軸支されたピン部材と、前記ピン部材を上方に付勢する付勢部材と、前記開閉側ヒンジ部材に前記軸部内に延びて前記回転中心軸と同軸に形成されるとともに前記付勢部材により上方に付勢された前記ピン部材を下面側から受容して前記ピン部材を回転可能に係合可能なピン受容穴とからなり、前記ピン部材を前記ピン受容穴に下面側から受容させるために、前記ピン部材を操作して前記ピン部材を前記付勢部材による付勢力に抗して下方に移動させることが可能な構成であり、
　前記ピン部材を下方に移動させる操作を用いて前記ピン受容穴に下面側から受容させて前記ピン部材を前記ピン受容穴に係合させることにより、前記第１開閉部材に対して前記第２開閉部材が揺動開閉自在にヒンジ接続されるように構成されており、
　前記ピン部材の先端部もしくは前記ピン受容穴の開口縁部に前記ピン部材を下方に移動させる操作を用いて前記ピン受容穴に下面側から受容させるときの案内を行うための円錐状の案内部を有し、
　前記ピン部材を前記ピン受容穴に受容して前記ピン部材と前記ピン受容穴が係合した状態で、前記ピン部材の上部が前記軸部材内に位置して前記軸部材の上方に突出することが無いように構成されたことを特徴とする遊技機のヒンジ機構。」
　
　［相違点］
　ピン部材の操作が、本件補正発明では、ピン部材の側方からの操作であるのに対して、先願発明では、どのような操作であるか不明である点。
　
　４　当審の判断
　上記相違点について検討する。
　本件補正発明の「前記ピン部材を前記ピン受容穴に下面側から受容させるために、前記ピン部材の側方から操作して前記ピン部材を前記付勢部材による付勢力に抗して下方に移動させることが可能な構成であり」という発明特定事項について検討する。
　先願明細書等には、どのような操作により可動体３６を下げるのかについて明示されていない。
　しかしながら、遊技機のヒンジ機構の技術分野において、ヒンジ機構を構成するピン部材を、ピン部材を側方からの操作により下方に移動させることは、原出願の出願前に周知の技術事項である（例えば、特開２００３−２１０７８９号公報の段落【００２９】、【図１】、【図３】に示された係止軸５０や、特開平７−８０１４４号公報の段落【００２０】、【００２４】、【図７】、【図９】に示された係止杆４３を参照のこと。）。
　そして、先願発明において、ピン部材の操作をピン部材の側方からの操作により行うことで新たな効果を奏するものとはいえない。
　してみると、上記相違点に係る事項は、先願発明における「扉枠部の回動動作がガタツクことなくスムーズに行なえると共に、本体枠部と扉枠部との間にも前記ガタツキによる無用な隙間が生じないようにして不正防止上も優れた遊技機における蝶番構造を提供することを目的とするものである。」（上記記載事項イを参照。）という課題を解決するための具体化手段における微差であって、実質的な相違点ではない。
　
　ゆえに、本件補正発明と先願発明とは、実質的に同一であり、しかも、本件補正発明の発明者が先願発明の発明者と同一の者であるとも、また、本願の出願の時にその出願人が上記先願の出願人と同一の者であるとも認められないので、本件補正発明は、特許法第２９条の２の規定により、特許出願の際独立して特許を受けることができない。
　
　５　まとめ
　以上のとおりであるから、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項１に係る発明（以下「本願発明」という。）は、平成２４年７月１０日付け手続補正書の特許請求の範囲の請求項１に記載された事項により特定される次のとおりのものである。
「ベース部材と、左右いずれか一方の側部に設けられた上下一対の第１ヒンジ機構により前記ベース部材に揺動開閉自在にヒンジ接続された第１開閉部材と、前記第１ヒンジ機構と同一側の側部に設けられた上下一対の第２ヒンジ機構により前記第１開閉部材の前面に位置して揺動開閉自在にヒンジ接続された第２開閉部材とを備えてなる遊技機のヒンジ機構であって、
　前記上下一対の第１ヒンジ機構のうちの上方に位置する第１ヒンジ機構は、前記第１開閉部材の側部に固定されて前後に延びる開閉側板状部に上下方向に延びて固着された軸部を有して構成される開閉側ヒンジ部材と、前記ベース部材の側部に固定されて前後に延びるベース側板状部に設けられ前記軸部と係合する軸受部を有して構成されるベース側ヒンジ部材とからなり、
　前記軸部が前記軸受部と係合して前記軸部の中心を通る上下に延びる回転中心軸を中心として前記軸部および前記軸受部が互いに回転可能に係合することにより、前記ベース部材に対して前記第１開閉部材が前記回転中心軸を中心として揺動開閉自在にヒンジ接続されるように構成されており、
　前記上下一対の第２ヒンジ機構のうちの上方に位置する第２ヒンジ機構は、前記第２開閉部材の側部における上部側に上下にスライド変位可能に軸支されたピン部材と、前記ピン部材を上方に付勢する付勢部材と、前記開閉側ヒンジ部材に前記軸部内に延びて前記回転中心軸と同軸に形成されるとともに前記ピン部材を受容して前記ピン部材を回転可能に係合可能なピン受容穴とからなり、
　前記ピン部材を前記ピン受容穴に受容して前記ピン部材と前記ピン受容穴が係合することにより、前記第１開閉部材に対して前記第２開閉部材が揺動開閉自在にヒンジ接続されるように構成されており、
　前記ピン部材の先端部もしくは前記ピン受容穴の開口縁部に円錐状の案内部を有し、
　前記ピン部材を前記ピン受容穴に受容して前記ピン部材と前記ピン受容穴が係合した状態で、前記ピン部材の上部が前記軸部材内に位置して前記軸部材の上方に突出することが無いように構成されたことを特徴とする遊技機のヒンジ機構。」
　
　２　刊行物に記載された発明
　原査定の拒絶の理由に引用された先願、先願明細書等の記載事項及び先願発明は、前記「第２［理由］２　先願発明」に記載したとおりである。
　
　３　対比および判断
　本願発明は、前記「第２［理由］」において検討した本件補正発明における限定を省くものである。
　そうすると、実質的に本願発明の発明特定事項をすべて含み、さらに、他の発明特定事項を付加したものに相当する本件補正発明が、前記「第２［理由］３　対比、及び、４　当審の判断」に記載したとおり、先願発明と実質的に同一であることから、本願発明も同様に、先願発明と実質的に同一である。　
　４　むすび
　以上のとおりであるから、本願発明は、先願発明と実質的に同一であり、特許法第２９条の２の規定により特許を受けることができない。
　
　よって、結論のとおり審決する。